(57)【要約】【課題】ワイヤ放電加工機による加工における様々な加工状況に応じたワイヤの断線予測を可能とするワイヤ断線予測装置を提供すること。【解決手段】本発明のワイヤ断線予測装置１は、ワイヤ放電加工機２によるワークの加工時に、ワイヤが断線していない状態におけるワークの加工に係るデータを取得するデータ取得部３０と、データ取得部３０が取得したデータに基づいて、ワークの加工において指令される加工条件に係る条件である加工条件データと、加工に用いられる部材に係る加工部材データと、ワークの加工時の加工状態データとを、加工の状態を示す状態データとして作成する前処理部３２と、前処理部３２が作成した状態データに基づいて、状態データとワイヤ放電加工機２のワイヤが断線しない状態との相関性を示す学習モデルを生成する学習部１１０と、を備える。【選択図】図２
2020075321.tif 000002
【特許請求の範囲】
【請求項１】
ワイヤ放電加工機におけるワークの加工時のワイヤ断線リスクを推定するワイヤ断線予測装置であって、
前記ワイヤ放電加工機によるワークの加工時に、ワイヤが断線していない状態におけるワークの加工に係るデータを取得するデータ取得部と、
前記データ取得部が取得したデータに基づいて、ワークの加工において指令される加工条件に係る条件である加工条件データと、加工に用いられる部材に係る加工部材データと、ワークの加工時の加工状態データとを、加工の状態を示す状態データとして作成する前処理部と、
前記前処理部が作成した状態データに基づいて、該状態データと前記ワイヤ放電加工機のワイヤが断線しない状態との相関性を示す学習モデルを生成する学習部と、
を備えたワイヤ断線予測装置。
【請求項２】
前記学習部は、ＭＴ法により前記状態データと前記ワイヤ放電加工機のワイヤが断線しない状態との相関性を示す学習モデルを生成する、
請求項１に記載のワイヤ断線予測装置。
【請求項３】
ワイヤ放電加工機におけるワークの加工時のワイヤ断線リスクを推定するワイヤ断線予測装置であって、
前記ワイヤ放電加工機によるワークの加工時に、ワークの加工に係るデータを取得するデータ取得部と、
前記データ取得部が取得したデータに基づいて、ワークの加工において指令される加工条件に係る条件である加工条件データと、加工に用いられる部材に係る加工部材データと、ワークの加工時の加工状態データとを、加工の状態を示す状態データとして作成する前処理部と、
加工の状態を示す状態データと前記ワイヤ放電加工機のワイヤが断線しない状態との相関性を学習した学習モデルを記憶する学習モデル記憶部と、
前記前処理部が作成した状態データに基づいて、前記学習モデル記憶部に記憶された学習モデルを用いた前記ワイヤ放電加工機のワイヤ断線リスクを推定する推定部と、
を備えたワイヤ断線予測装置。
【請求項４】
前記学習モデル記憶部は、ＭＴ法により前記状態データと前記ワイヤ放電加工機のワイヤが断線しない状態との相関性を学習した学習モデルを記憶しており、
前記推定部は、前記前処理部が作成した状態データと、前記学習モデルにおける単位空間の中心位置とのマハラノビス距離を算出し、算出したマハラノビス距離に基づいて前記ワイヤ放電加工機のワイヤ断線リスクを推定する、
請求項３に記載のワイヤ断線予測装置。
【請求項５】
前記推定部が推定した前記ワイヤ放電加工機のワイヤ断線リスクに基づいて、前記ワイヤ放電加工機の加工条件を変更する加工条件変更部を更に備える、
請求項４に記載のワイヤ断線予測装置。
【請求項６】
前記推定部は、算出した前記マハラノビス距離の大小に応じて前記ワイヤ放電加工機のワイヤ断線リスクの大小を推定し、
前記加工条件変更部は、前記推定部が推定した前記ワイヤ放電加工機のワイヤ断線リスクの大小に基づいて変更する加工条件の強弱を調整する、
請求項５に記載のワイヤ断線予測装置。
【発明の詳細な説明】
【技術分野】
【０００１】
本発明は、ワイヤ断線予測装置に関する。
【背景技術】
【０００２】
ワイヤ放電加工機では、加工対象となるワークを加工している最中に、加工に用いているワイヤ電極が断線することがある。ワイヤの断線は、放電加工の状況に応じて、発生し難い場合と、発生し易い場合とがある。
【０００３】
例えば、図６に示されるように、加工対象となるワークに段差がある場合、ワークの厚い部分を加工する際には、厚板用の加工条件（エネルギーの供給量が大きい加工条件）でワークを加工するが（図６上）、そのような加工条件のままでワークの薄い部分の加工に入ると（図６下）、加工のパワーが強すぎてワイヤが断線し易くなる。
【０００４】
また、図７に例示されるように、放電加工中はワイヤのガイド部分に配置されるノズルからワイヤとワークとの間に加工液が供給されている。ノズルから供給される加工液は、直線部の加工時には、ワイヤの移動方向に対して後方へと流れてスラッジ（加工屑）が効率良く排出されていくが、コーナ部を加工している時は、ワイヤ移動方向の後方が行き止まりになっているため、スラッジ（加工屑）が効率良く排出されなくなり、正常放電が十分に行われず断線し易くなる。
【０００５】
図８のようにワイヤをワークに対して切込む時は、ノズルから供給される加工液が加工部分から周りへと拡散しやすくなり、加工部分に十分な加工液が供給されなくなる現象が発生する。そのため、ワークに対する切込み時は、ワイヤが断線し易くなる。
その他にも、ワークに不純物が混ざっている場合等には、ワークの素材の部分と不純物の部分とでアーク放電の発生頻度が変わるため、偏った放電が発生し易くなり、これが原因でワイヤの断線が発生しやすくなる。
【０００６】
この様なワイヤの断線は、加工面に発生する筋目の原因となる等、加工品質に対して影響を与える他、断線した時点で加工を中断し、上下ガイドの位置をワークの加工開始点まで戻してワイヤの結線を行い、断線した位置に上下ガイド（ワイヤ）を移動させて加工を再開する必要があるため、加工効率が低下するという問題がある。
【０００７】
ワイヤ断線を防止するための従来技術として、例えば特許文献１には、ワークの板厚が変わる段差部位において加工条件を変更する技術が開示されている。また、特許文献２には、ワイヤ電極とワークとの間にかかる電圧に異常を検出した場合、電流のバイパス用のスイッチをオンにして断線を回避する技術が開示されている。更に、特許文献３には、試し加工工程において板厚毎の断線閾値と適切な加工条件を取得して、加工中に板厚に応じた適切な加工条件を設定できるようにする技術が開示されている。
【先行技術文献】
【特許文献】
【０００８】
【特許文献１】特開２０１０−２４０７６１号公報
【特許文献２】特許第３０７８５４６号公報
【特許文献３】国際公開第特許第３０７８５４６号公報
【発明の概要】
【発明が解決しようとする課題】
【０００９】
しかしながら、ワイヤ放電加工機でのワイヤの断線は、上記で示したように様々な状況において発生する。そのため、特許文献１に示される加工条件を変更する方法を取るにしても、断線が発生しやすくなる様々な状況に対して予め実験等を行っておく必要がある他、複数の状況の組み合わせによって予め想定できなかった断線リスクが発生することに対して対応することが難しいという課題がある。また、特許文献２に示される技術においても、異常な電圧であると判断する閾値は加工の状況によって変わってくるため、所定の電圧を検出した際に状況を考慮せずに一律にバイパスするようにしても効率の良い加工を行えるとは限らないという問題がある。また、特許文献３に示される技術では、様々な加工の状況（ワークの種類やワイヤ径等）毎に、予め複数の板厚での試し加工工程を行う必要があり、あらゆる状況に対応するには手間がかかるという問題がある。
【００１０】
そこで本発明の目的は、ワイヤ放電加工機による加工における様々な加工状況に応じたワイヤの断線予測を可能とするワイヤ断線予測装置を提供することである。
【課題を解決するための手段】
【００１１】
本発明では、ワイヤ放電加工機による加工時に取得される加工の状況に係る加工データと機械学習モデルを用いてワイヤ断線リスクを予測することにより、上記課題を解決する。本発明のワイヤ断線予測装置が用いる学習モデルとしては、加工条件とワイヤ断線リスクとの相関値を算出可能なものを用いることを想定しており、本明細書ではその一例として、機械学習を使った異常検知方法としてよく用いられるＭＴ（マハラノビス・タグチ）法を利用した例を示す。ＭＴ法を用いたワイヤ断線予測のための学習において、ワイヤ断線予測装置は、ワイヤが断線しない加工時に取得された加工データを用いて学習を行うことで学習モデルを作成する。そして、ワイヤ断線予測装置によるワイヤ断線予測時には、ワイヤ断線予測装置は、加工時に取得された加工データを該学習モデルへ入力し、取得された加工データとワイヤが断線しない時の加工データとの距離（マハラノビス距離）を算出して、その算出結果からワイヤ断線リスクを推定する。そして、ワイヤ断線予測装置は、推定したワイヤ断線リスクに基づいてワイヤ放電加工機による加工条件を最適化する。
【００１２】
そして、本発明の一態様は、ワイヤ放電加工機におけるワークの加工時のワイヤ断線リスクを推定するワイヤ断線予測装置であって、前記ワイヤ放電加工機によるワークの加工時に、ワイヤが断線していない状態におけるワークの加工に係るデータを取得するデータ取得部と、前記データ取得部が取得したデータに基づいて、ワークの加工において指令される加工条件に係る条件である加工条件データと、加工に用いられる部材に係る加工部材データと、ワークの加工時の加工状態データとを、加工の状態を示す状態データとして作成する前処理部と、前記前処理部が作成した状態データに基づいて、該状態データと前記ワイヤ放電加工機のワイヤが断線しない状態との相関性を示す学習モデルを生成する学習部と、を備えたワイヤ断線予測装置である。
【００１３】
本発明の他の態様は、ワイヤ放電加工機におけるワークの加工時のワイヤ断線リスクを推定するワイヤ断線予測装置であって、前記ワイヤ放電加工機によるワークの加工時に、ワークの加工に係るデータを取得するデータ取得部と、前記データ取得部が取得したデータに基づいて、ワークの加工において指令される加工条件に係る条件である加工条件データと、加工に用いられる部材に係る加工部材データと、ワークの加工時の加工状態データとを、加工の状態を示す状態データとして作成する前処理部と、加工の状態を示す状態データと前記ワイヤ放電加工機のワイヤが断線しない状態との相関性を学習した学習モデルを記憶する学習モデル記憶部と、前記前処理部が作成した状態データに基づいて、前記学習モデル記憶部に記憶された学習モデルを用いた前記ワイヤ放電加工機のワイヤ断線リスクを推定する推定部と、を備えたワイヤ断線予測装置である。
【発明の効果】
【００１４】
本発明により、ワイヤ放電加工機による加工における様々な加工状況に応じたワイヤの断線予測が可能となり、また、予測したワイヤ断線リスクに基づいてワイヤ放電加工機の加工条件を自動的に調整することが可能となる。
【図面の簡単な説明】
【００１５】
【図１】一実施形態によるワイヤ断線予測装置の概略的なハードウェア構成図である。
【図２】第１実施形態によるワイヤ断線予測装置の概略的な機能ブロック図である。
【図３】学習部が生成する学習モデルのイメージを例示する図である。
【図４】第２実施形態によるワイヤ断線予測装置の概略的な機能ブロック図である。
【図５】推定部によるワイヤ断線リスクの推定のイメージを例示する図である。
【図６】ワイヤ放電加工機におけるワイヤ断線リスクの例を示す図である。
【図７】ワイヤ放電加工機におけるワイヤ断線リスクの他の例を示す図である。
【図８】ワイヤ放電加工機におけるワイヤ断線リスクの他の例を示す図である。
【発明を実施するための形態】
【００１６】
以下、本発明の実施形態を図面と共に説明する。
図１は本発明の一実施形態によるワイヤ断線予測装置の要部を示す概略的なハードウェア構成図である。本実施形態のワイヤ断線予測装置１は、ワイヤ放電加工機を制御する制御装置として実装することができる。また、ワイヤ断線予測装置１は、ワイヤ放電加工機を制御する制御装置と併設されたパソコンや、ワイヤ放電加工機を制御する制御装置とネットワークを介して接続された管理装置３，エッジコンピュータ、セルコンピュータ、ホストコンピュータ、クラウドサーバ等のコンピュータとして実装することが出来る。本実施形態では、ワイヤ断線予測装置１を、ワイヤ放電加工機を制御する制御装置と有線／無線のネットワーク７を介して接続されたコンピュータとして実装した場合の例を示す。
【００１７】
本実施形態によるワイヤ断線予測装置１が備えるＣＰＵ１１は、ワイヤ断線予測装置１を全体的に制御するプロセッサである。ＣＰＵ１１は、バス２２を介して接続されているＲＯＭ１２に格納されたシステム・プログラムを読み出し、該システム・プログラムに従ってワイヤ断線予測装置１全体を制御する。ＲＡＭ１３には一時的な計算データや表示装置７０に表示するための表示データ、入力装置７１を介してオペレータが入力した各種データ等が格納される。
【００１８】
不揮発性メモリ１４は、例えば図示しないバッテリでバックアップされたメモリやＳＳＤ（Ｓｏｌｉｄ  Ｓｔａｔｅ  Ｄｒｉｖｅ）等で構成され、ワイヤ断線予測装置１の電源がオフされても記憶状態が保持されるメモリとして構成される。不揮発性メモリ１４には、ワイヤ断線予測装置１の動作に係る設定情報が格納される設定領域や、入力装置７１から入力されたデータ、それぞれのワイヤ放電加工機２から取得される各種データ（ワーク材質、ワーク形状、ワイヤ材質、ワイヤ径等）、それぞれのワイヤ放電加工機２の動作において検出される各種物理量（加工経路、加工電圧、電流、速度、加工液量、加工液圧、正常放電回数、異常放電回数等）、図示しない外部記憶装置やネットワークを介して読み込まれたデータ等が記憶される。不揮発性メモリ１４に記憶されたプログラムや各種データは、実行時／利用時にはＲＡＭ１３に展開されても良い。また、ＲＯＭ１２には、各種データを解析するための公知の解析プログラム等を含むシステム・プログラムが予め書き込まれている。
【００１９】
ワイヤ断線予測装置１は、インタフェース２０を介して有線／無線のネットワーク７と接続されている。ネットワーク７には、少なくとも１つのワイヤ放電加工機２や、該ワイヤ放電加工機２による加工作業を管理する管理装置３等が接続され、ワイヤ断線予測装置１との間で相互にデータのやり取りを行っている。
【００２０】
ワイヤ放電加工機２は、加工液中のワイヤ電極とワークに電圧を印加して、アーク放電を発生させ、この放電の熱でワークを溶融すると同時に、急激に加熱された加工液の気化爆発により溶融したワークを吹き飛ばすことでワークを加工する加工機である。ワイヤ放電加工機２は、上下ガイド、上下ノズル、ワイヤ、モータ、加工電源等の様々な機材で構成されており、各部の状態がセンサ等で検出され、各部の動作が制御装置により制御される。
【００２１】
表示装置７０には、メモリ上に読み込まれた各データ、プログラム等が実行された結果として得られたデータ等がインタフェース１８を介して出力されて表示される。また、キーボードやポインティングデバイス等から構成される入力装置７１は、作業者による操作に基づく指令，データ等をインタフェース１９を介してＣＰＵ１１に渡す。
【００２２】
インタフェース２３は、ワイヤ断線予測装置１へ機械学習装置３００を接続するためのインタフェースである。機械学習装置３００は、機械学習装置３００全体を統御するプロセッサ３０１と、システム・プログラム等を記憶したＲＯＭ３０２、機械学習に係る各処理における一時的な記憶を行うためのＲＡＭ３０３、及び学習モデル等の記憶に用いられる不揮発性メモリ３０４を備える。機械学習装置３００は、インタフェース２３を介してワイヤ断線予測装置１で取得可能な各情報（例えば、ワーク材質、ワーク形状、ワイヤ材質、ワイヤ径、加工経路、加工電圧、電流、速度、加工液量、加工液圧、正常放電回数、異常放電回数等）を観測することができる。また、ワイヤ断線予測装置１は、機械学習装置３００から出力される処理結果をインタフェース２３を介して取得し、取得した結果を記憶したり、表示したり、他の装置に対して図示しないネットワーク等を介して送信する。
【００２３】
図２は、第１実施形態によるワイヤ断線予測装置１と機械学習装置３００の概略的な機能ブロック図である。図２に示されるワイヤ断線予測装置１は、機械学習装置３００が学習を行う場合に必要とされる構成を備えている（学習モード）。図２に示した各機能ブロックは、図１に示したワイヤ断線予測装置１が備えるＣＰＵ１１、及び機械学習装置３００のプロセッサ３０１が、それぞれのシステム・プログラムを実行し、ワイヤ断線予測装置１及び機械学習装置３００の各部の動作を制御することにより実現される。
【００２４】
本実施形態のワイヤ断線予測装置１は、データ取得部３０、前処理部３２を備え、ワイヤ断線予測装置１が備える機械学習装置３００は、学習部１１０を備えている。また、不揮発性メモリ１４（図１）上には、データ取得部３０がワイヤ放電加工機２から取得したデータを記憶する取得データ記憶部５０が設けられており、機械学習装置３００の不揮発性メモリ３０４（図１）上には、学習部１１０による機械学習により構築された学習モデルを記憶する学習モデル記憶部１３０が設けられている。
【００２５】
データ取得部３０は、ワイヤ放電加工機２から各種データを取得する機能手段である。データ取得部３０は、例えば、ワイヤ放電加工機２の加工中に、ワーク材質、ワーク形状、ワイヤ材質、ワイヤ径、加工経路、加工電圧、電流、速度、加工液量、加工液圧、正常放電回数、異常放電回数等の各データを取得し、取得データ記憶部５０に記憶する。データ取得部３０は、ワイヤ放電加工機２において正常に加工が行われている時（即ち、ワイヤが断線しない時）のワイヤ放電加工機２に係る複数のデータを取得する。データ取得部３０は、ワイヤ放電加工機２の制御装置に設定された加工に係る条件や、ワイヤ放電加工機２の制御装置が各部に指令する指令値、ワイヤ放電加工機２の制御装置が各部から計測した計測値、別途設置したセンサ等による検出値等としてデータを取得することができる。データ取得部３０は、図示しない外部記憶装置や有線／無線のネットワークを介して他の装置からデータを取得するようにしても良い。
【００２６】
前処理部３２は、データ取得部３０が取得したデータに基づいて、機械学習装置３００による学習に用いられる学習データを作成する。前処理部３２は、各データを機械学習装置３００において扱われる統一的な形式へと変換（数値化、サンプリング等）した学習データを作成する。前処理部３２は、機械学習装置３００が行う所謂教師なし学習のための所定の形式の状態データＳを学習データとして作成する。前処理部３２が作成する状態データＳは、ワイヤ放電加工機２のワークの加工に係る加工電圧、加工電流、加工速度、加工液量、加工液圧の指令値を含む加工条件データＳ１と、ワイヤ放電加工機２で加工に用いられるワイヤの材質やワイヤ径、加工するワークの材質等を含む加工部材データＳ２と、ワイヤ放電加工機２のワークの加工において計測された電圧、電流、正常放電回数、異常放電回数等を含む加工状態データＳ３とを含む。
【００２７】
加工条件データＳ１は、データ取得部３０が取得した、ワイヤ放電加工機２の制御装置が各部に指令する指令値等を用いることができる。加工条件データＳ１は、加工プログラムによる指令や、ワイヤ放電加工機２に設置された各種指令値を用いるようにして良い。
【００２８】
加工部材データＳ２は、データ取得部３０が取得した、ワイヤ放電加工機２の制御装置に設定されているワイヤやワークの情報を用いることができる。
【００２９】
加工状態データＳ３は、データ取得部３０が取得した、ワイヤ放電加工機２の制御装置が各部から計測した計測値、別途設置したセンサ等による検出値等を用いることができる。加工状態データＳ３は、例えば加工時に計測された電圧値の時系列データや電圧波形を示すパラメータ（放電パルス時間、休止パルス時間、ピーク値、パルス幅等のワイヤ放電加工における公知のパラメータ）、電流値の時系列データ電流波形を示すパラメータ（放電パルス時間、休止パルス時間、ピーク値、パルス幅等のワイヤ放電加工における公知のパラメータ）、所定の時間周期内における正常放電（例えば、極間電圧値が、判定レベルを超えてから判定時間が経過した後に判定レベルを下回ったもの）、異常放電（例えば、極間電圧値が、判定レベルを超えてから判定時間が経過する前に判定レベルを下回ったものや、判定レベルを超えないもの等）の回数を用いれば良い。
【００３０】
学習部１１０は、前処理部３２が作成した学習データを用いた教師なし学習を行い、ワイヤ放電加工機２におけるワイヤが断線しない状況と、その時の状態データＳとの相関性を学習した学習モデルを生成する（学習する）機能手段である。本実施形態の学習部１１０は、ワイヤ放電加工機２におけるワイヤが断線しない状況と、その時の状態データＳとの相関性を、例えばＭＴ（Ｍａｈａｌａｎｏｂｉｓ  Ｔａｇｕｃｈｉ）法により学習する。ＭＴ法は、多次元の情報で構成されたデータの集合に対して一つの尺度を導入し、その傾向を認識するための情報処理技術である。
【００３１】
本実施形態では、学習部１１０は、前処理部３２が作成した学習データ（加工条件データＳ１、加工部材データＳ２，加工状態データＳ３）を基準となる正常データ群として、各学習データのデータ項目を要素とするベクトルｘを考えた時の該正常データ群の集合を単位空間とする。次に、学習部１１０は、該正常データ群を構成する各データに基づいて、単位空間の中心位置（平均ベクトル）を求め、また、該正常データ群を構成する各データに基づいて、単位空間の相関係数行列を推定する。そして、学習部１１０は、該正常データ群を構成する各データについて中心位置からのマハラノビス距離を計算し、その計算結果に基づいて閾値を定め、これら算出した各値を学習モデルとして学習モデル記憶部１３０に記憶する。なお、ＭＴ法の詳細については、すでに多くの文献により公知となっているため、本明細書における詳細な説明は省略する。
【００３２】
図３は、学習部１１０が作成する学習モデルのイメージを例示する図である。図３では、学習モデルのイメージを把握しやすくするために、学習データが加工電圧、加工速度、異常放電回数の３つのパラメータから構成されているものとして示している。そして、新たにワイヤ放電加工機２から加工中のデータ（状態データ）が取得された時、学習データのベクトル空間における単位空間の中心位置からのマハラノビス距離が、定められた閾値を超えた場合に、加工状態が異常（ワイヤが断線するリスクがある）と判定することができるようになる。
【００３３】
図４は、第２実施形態によるワイヤ断線予測装置１と機械学習装置３００の概略的な機能ブロック図である。本実施形態のワイヤ断線予測装置１は、機械学習装置３００が推定を行う場合に必要とされる構成を備えている（推定モード）。図４に示した各機能ブロックは、図１に示したワイヤ断線予測装置１が備えるＣＰＵ１１、及び機械学習装置３００のプロセッサ３０１が、それぞれのシステム・プログラムを実行し、ワイヤ断線予測装置１及び機械学習装置３００の各部の動作を制御することにより実現される。
【００３４】
本実施形態のワイヤ断線予測装置１は、第１実施形態と同様にデータ取得部３０、前処理部３２を備え、更に加工条件変更部３４を備える。また、ワイヤ断線予測装置１が備える機械学習装置３００は、推定部１２０を備えている。更に、不揮発性メモリ１４（図１）上には、データ取得部３０がワイヤ放電加工機２から取得したデータを記憶する取得データ記憶部５０が設けられており、機械学習装置３００の不揮発性メモリ３０４（図１）上には、学習部１１０（図２）による機械学習により構築された学習モデルを記憶する学習モデル記憶部１３０が設けられている。
【００３５】
本実施形態によるデータ取得部３０、前処理部３２は、第１実施形態のデータ取得部３０、前処理部３２と同様の機能を備える。
【００３６】
推定部１２０は、前処理部３２が作成した状態データＳに基づいて、学習モデル記憶部１３０に記憶された学習モデルを用いたワイヤ放電加工機２のワイヤ断線リスクの推定を行う。本実施形態の推定部１２０では、学習部１１０（図２）により作成された学習モデル（ワイヤ放電加工機２におけるワイヤが断線しない状況と、その時の状態データＳとの相関性）の下で、ワイヤが断線せずに加工ができているときに取得されたデータ群から、前処理部３２から入力された状態データＳがどの程度離れているのかを示す距離（相関性を考慮した距離）を求め、その結果に基づいてワイヤ放電加工機２のワイヤ断線リスクを推定する。本実施形態の推定部１２０は、ワイヤ放電加工機２のワイヤ断線リスクをＭＴ法により推定する。
【００３７】
本実施形態では、推定部１２０は、前処理部３２が作成した推定対象となる状態データＳ（加工条件データＳ１、加工部材データＳ２，加工状態データＳ３）について、状態データＳのデータ項目を要素とするベクトルｘを考えた時に、該ベクトルｘと学習データのベクトル空間における単位空間の中心位置とのマハラノビス距離が、定められた閾値を超えた場合に、加工状態が異常（ワイヤが断線するリスクがある）と推定する。推定部１２０は、単位空間の中心位置とベクトルｘとのマハラノビス距離の、閾値からどれだけ離れているかの度合いに応じて、ワイヤ断線リスクの度合いが高くなると推定するようにしても良く、この時、単位空間の中心位置とベクトルｘとのマハラノビス距離に対して予め定めた所定の係数を掛けた値をワイヤ断線リスク値とするようにしても良い。
【００３８】
図５は、推定部１２０による推定処理のイメージを例示する図である。図５では、データ取得部が取得したデータに基づいて前処理部３２がデータａ，ｂ，ｃを作成した場合を示している。図５の例において、所定の加工状態において取得されたデータａは単位空間の中心位置からみて閾値の範囲内にあるため、該加工状態ではワイヤが断線するリスクは低いと推定することができる。また、所定の加工状態において取得されたデータｂ，ｃはいずれも単位空間の中心位置からみて閾値の範囲外にあるため、該加工状態ではワイヤが断線するリスクは高いと推定することができ、また、データｂはデータｃと比較して単位空間の中心位置からのマハラノビス距離が長いため、データｂが示す加工状態はデータｃが示す加工状態よりもワイヤ断線リスクが高いと推定することができる。
【００３９】
推定部１２０が推定した結果（ワイヤ断線リスク）は、表示装置７０に表示出力したり、図示しない有線／無線ネットワークを介してホストコンピュータやクラウドコンピュータ等に送信出力して利用するようにしても良い。また、推定部１２０が推定した結果に基づいて、加工条件変更部３４がワイヤ放電加工機２の加工条件を変更するようにしても良い。
【００４０】
加工条件変更部３４は、推定部１２０が推定した結果（ワイヤ断線リスク）が「ワイヤが断線するリスクが高い」となっている場合に、ワイヤ放電加工機２の加工条件をワイヤが断線しにくくなるように（例えば、加工部に供給されるパワーが下降するように放電休止時間を長くする、加工位置に供給する加工液の量を上げる等）調整する。また、加工条件変更部３４は、推定部１２０が推定した結果（ワイヤ断線リスク）が「ワイヤが断線するリスクが低い」となっている場合に、ワイヤ放電加工機２の加工条件を加工速度が向上するように（例えば、加工部に供給されるパワーが上昇するように放電休止時間を短くする等）調整する。加工条件変更部３４は、推定部１２０がワイヤ断線リスクの度合いを推定する場合には、推定されたワイヤ断線リスクの度合いに応じて加工条件の変更量を変更するようにしても良い。
【００４１】
上記構成を備えたワイヤ断線予測装置１では、ワイヤ放電加工機２から取得されたデータに基づいて、推定部１２０がワイヤ放電加工機２のワイヤ断線リスクを推定し、その推定結果に基づいてワイヤ放電加工機２の加工条件を調整するため、加工の状態に応じたワイヤが断線しない適切な加工条件での加工を行うことができるようになる。そのため、無人運転時においても一律に加工条件を落とす必要がなくなるため、効率のよいワイヤ放電加工（ワイヤが断線しない範囲で加工速度を高速に維持したワイヤ放電加工）を行わせることができるようになる。
【００４２】
以上、本発明の一実施形態について説明したが、本発明は上述した実施の形態の例のみに限定されることなく、適宜の変更を加えることにより様々な態様で実施することができる。
例えば、上記した実施形態ではワイヤ断線予測装置１と機械学習装置３００が異なるＣＰＵ（プロセッサ）を有する装置として説明しているが、機械学習装置３００はワイヤ断線予測装置１が備えるＣＰＵ１１と、ＲＯＭ１２に記憶されるシステム・プログラムにより実現するようにしても良い。
【００４３】
また、上記した実施形態ではワイヤ断線予測装置１をワイヤ放電加工機２の制御装置とネットワーク７を介して接続されたコンピュータ上に実装した例を示したが、例えば機械学習装置３００の部分のみをホストコンピュータ上に実装して、データ取得部３０，前処理部３２，加工条件変更部３４を含むワイヤ断線予測装置１本体をエッジコンピュータ上に実装する等、各構成要素の配置を適宜変更して実装するようにしても良い。
【符号の説明】
【００４４】
１  ワイヤ断線予測装置
２  ワイヤ放電加工機
３  管理装置
１１  ＣＰＵ
１２  ＲＯＭ
１３  ＲＡＭ
１４  不揮発性メモリ
１８，１９，２０  インタフェース
２２  バス
２３  インタフェース
３０  データ取得部
３２  前処理部
３４  加工条件変更部
５０  取得データ記憶部
７０  表示装置
７１  入力装置
３００  機械学習装置
３０１  プロセッサ
３０２  ＲＯＭ
３０３  ＲＡＭ
３０４  不揮発性メモリ
１１０  学習部
１２０  推定部
１３０  学習モデル記憶部
【図１】
2020075321.tif 000003
【図２】
2020075321.tif 000004
【図３】
2020075321.tif 000005
【図４】
2020075321.tif 000006
【図５】
2020075321.tif 000007
【図６】
2020075321.tif 000008
【図７】
2020075321.tif 000009
【図８】
2020075321.tif 000010